(57)【要約】【課題】共同購入物品の情報を、複数のユーザが互いにリアルタイムに編集し、決定をすること。【解決手段】共同購入のセッションに参加しているユーザ端末２０Ａ〜２０Ｃ毎に表示されるｗｅｂページの情報の編集又は該ｗｅｂページ内において商品の決定が行われると、該編集があったこと又は商品の決定が行われたことがユーザ端末２０Ａ〜２０Ｃに通知されるようにした。すなわち、連携データベース１４を利用することで、代表者を立てることなく、グループの参加者が、グループのメンバとともにページ情報を共有し、各々が購入物品の追加、変更等を行うようにした。【選択図】図１
2007249557.tif 000002
【特許請求の範囲】
【請求項１】
ネットワークによる共同購入を行うための共同購入システムであって、
共同購入のセッションに参加するユーザが使用するためのユーザ端末と、
前記共同購入のセッションに関わる共同購入物品の情報をＷｅｂサイトを介して前記ユーザ端末に提供する共同購入サーバとを備え、
前記共同購入サーバは、
前記Ｗｅｂサイトを介して購入をすることができる商品情報を格納している販売データベースと、
少なくとも、前記ユーザ端末のアクセスに応じて購入する前記商品情報を管理する連携データベースと、
前記セッションに参加している前記ユーザ端末毎に生成され、該セッション内において前記ユーザ端末により参照される、少なくともｗｅｂページの内容と前記ユーザ端末を使用するユーザ毎の情報とを保持するユーザ対応手段とを有し、
前記ユーザ対応手段は、前記ユーザ端末からのアクセスに応じて前記ｗｅｂページを作成し、該ｗｅｂページの情報の編集又は該ｗｅｂページ内において商品の決定が行われると、該編集があったこと又は前記商品の決定が行われたことを前記連携データベースに通知し、
該連携データベースは、前記通知を受け取ると他の前記ユーザ対応手段に対し、編集があったこと又は前記商品の決定が行われたことを通知する
ことを特徴とする共同購入システム。
【請求項２】
前記ユーザ対応手段は、前記ｗｅｂページに個々のユーザ毎にカスタマイズされているユーザ部位と、前記共同購入のセッションに参加するユーザのグループで共有する共有部位とを表示させ、前記ユーザ部位からの選択操作を受け付けることを特徴とする請求項１に記載の共同購入システム。
【請求項３】
前記ユーザ端末と同じセッションに参加し、前記ユーザ端末に対してメディアデータを同期送信するリアルタイムデータ同期装置と、
前記連携データベースからの編集があったこと又は前記商品の決定が行われたことの通知を基に、前記リアルタイムデータ同期装置に対して前記メディアデータの同期送信を指示するダミークライアントとを備える
ことを特徴とする請求項１又は２に記載の共同購入システム。
【請求項４】
同一の前記セッションに参加しているユーザを識別するためのグループＩＤを管理するグループ管理装置を備え、
前記連携データベースは、前記グループＩＤを基に前記ダミークライアントをセッションに参加させる
ことを特徴とする請求項３に記載の共同購入システム。
【請求項５】
前記共同購入によって決定された商品の課金情報が前記ユーザ毎に格納される課金データベースを備えることを特徴とする請求項１〜４のいずれかに記載の共同購入システム。
【請求項６】
少なくとも、前記ユーザ対応手段が前記ネットワーク上に分離配置されていることを特徴とする請求項１〜５のいずれかに記載の共同購入システム。
【請求項７】
前記ユーザ対応手段は、前記ｗｅｂページに個々のユーザ毎の個別部分と前記共同購入のセッションに参加するユーザのグループで共有する共通部とを表示させ、前記個別部からの設定操作が前記共通部へ反映されることを特徴とする請求項１〜６のいずれかに記載の共同購入システム。
【請求項８】
共同購入のセッションに関わる共同購入物品の情報をＷｅｂサイトを介してユーザ端末に提供する共同購入サーバであって、
前記Ｗｅｂサイトを介して購入をすることができる商品情報を格納している販売データベースと、
少なくとも、共同購入のセッションに参加するユーザが使用するユーザ端末のアクセスに応じて購入する前記商品情報を管理する連携データベースと、
前記セッションに参加している前記ユーザ端末毎に生成され、該セッション内において前記ユーザ端末により参照される、少なくともｗｅｂページの内容と前記ユーザ端末を使用するユーザ毎の情報とを保持するユーザ対応手段とを有し、
前記ユーザ対応手段は、前記ユーザ端末からのアクセスに応じて前記ｗｅｂページを作成し、該ｗｅｂページの情報の編集又は該ｗｅｂページ内において商品の決定が行われると、該編集があったこと又は前記商品の決定が行われたことを前記連携データベースに通知し、
該連携データベースは、前記通知を受け取ると他の前記ユーザ対応手段に対し、編集があったこと又は前記商品の決定が行われたことを通知する
ことを特徴とする共同購入サーバ。
【請求項９】
前記ユーザ対応手段は、前記ｗｅｂページに個々のユーザ毎にカスタマイズされているユーザ部位と、前記共同購入のセッションに参加するユーザのグループで共有する共有部位とを表示させ、前記ユーザ部位からの選択操作を受け付けることを特徴とする請求項８に記載の共同購入サーバ。
【請求項１０】
ネットワークによる共同購入を行うための共同購入方法であって、
共同購入のセッションに参加しているユーザ端末毎に生成され、該セッション内において前記ユーザ端末により参照される、少なくともｗｅｂページの内容と前記ユーザ端末を使用するユーザ毎の情報とを保持するステップと、
前記ユーザ端末からのアクセスに応じて前記ｗｅｂページを作成し、該ｗｅｂページの情報の編集又は該ｗｅｂページ内において商品の決定が行われると、該編集があったこと又は前記商品の決定が行われたことを通知するステップとを有し、
前記編集があったこと又は前記商品の決定が行われたことが前記ユーザ端末に通知される
ことを特徴とする共同購入方法。
【請求項１１】
前記ｗｅｂページに個々のユーザ毎にカスタマイズされているユーザ部位と、前記共同購入のセッションに参加するユーザのグループで共有する共有部位とを表示させるステップを有し、
前記ユーザ部位からの選択操作が受け付けられる
ことを特徴とする請求項１０に記載の共同購入方法。
【請求項１２】
前記ユーザ端末と同じセッションに参加し、前記ユーザ端末に対してメディアデータを同期送信するステップと、
前記編集があったこと又は前記商品の決定が行われたことの通知を基に、ダミークライアントによって前記メディアデータの同期送信を指示するステップとを有する
ことを特徴とする請求項１０又は１１に記載の共同購入方法。
【請求項１３】
同一の前記セッションに参加しているユーザを識別するためのグループＩＤを管理するステップと、
前記グループＩＤを基に前記ダミークライアントをセッションを参加させるステップとを有する
ことを特徴とする請求項１２に記載の共同購入方法。
【請求項１４】
前記共同購入によって決定された商品の課金情報が前記ユーザ毎に格納されるステップを有することを特徴とする請求項１０〜１３のいずれかに記載の共同購入方法。
【請求項１５】
前記ｗｅｂページに個々のユーザ毎の個別部分と前記共同購入のセッションに参加するユーザのグループで共有する共通部とを表示させるステップを有し、前記個別部からの設定操作が前記共通部へ反映されることを特徴とする請求項１０〜１４のいずれかに記載の共同購入方法。
【請求項１６】
ネットワークによる共同購入を行うための共同購入方法を実行する共同購入プログラムであって、
共同購入のセッションに参加しているユーザ端末毎に生成され、該セッション内において前記ユーザ端末により参照される、少なくともｗｅｂページの内容と前記ユーザ端末を使用するユーザ毎の情報とを保持するステップと、
前記ユーザ端末からのアクセスに応じて前記ｗｅｂページを作成し、該ｗｅｂページの情報の編集又は該ｗｅｂページ内において商品の決定が行われると、該編集があったこと又は前記商品の決定が行われたことを通知するステップとを有し、
前記編集があったこと又は前記商品の決定が行われたことが前記ユーザ端末に通知される
ことを特徴とする共同購入プログラム。
【請求項１７】
前記ｗｅｂページに個々のユーザ毎にカスタマイズされているユーザ部位と、前記共同購入のセッションに参加するユーザのグループで共有する共有部位とを表示させるステップを有し、
前記ユーザ部位からの選択操作が受け付けられる
ことを特徴とする請求項１６に記載の共同購入プログラム。
【請求項１８】
前記ユーザ端末と同じセッションに参加し、前記ユーザ端末に対してメディアデータを同期送信するステップと、
前記編集があったこと又は前記商品の決定が行われたことの通知を基に、ダミークライアントによって前記メディアデータの同期送信を指示するステップとを有する
ことを特徴とする請求項１６又は１７に記載の共同購入プログラム。
【請求項１９】
同一の前記セッションに参加しているユーザを識別するためのグループＩＤを管理するステップと、
前記グループＩＤを基に前記ダミークライアントをセッションを参加させるステップとを有する
ことを特徴とする請求項１８に記載の共同購入プログラム。
【請求項２０】
前記共同購入によって決定された商品の課金情報が前記ユーザ毎に格納されるステップを有することを特徴とする請求項１６〜１９のいずれかに記載の共同購入プログラム。
【請求項２１】
前記ｗｅｂページに個々のユーザ毎の個別部分と前記共同購入のセッションに参加するユーザのグループで共有する共通部とを表示させるステップを有し、前記個別部からの設定操作が前記共通部へ反映されることを特徴とする請求項１６〜２０のいずれかに記載の共同購入プログラム。
【請求項２２】
請求項１６〜２１のいずれかに記載の共同購入プログラムが記録されていることを特徴とする記録媒体。
【発明の詳細な説明】
【技術分野】
【０００１】
本発明は、ネットワークによる共同購入に適した共同購入システム、共同購入サーバ、共同購入方法、共同購入プログラム及び記録媒体に関する。
【背景技術】
【０００２】
現状のネットワークによる共同購入は、「代表者」が購入物品を入力した上で、各共同購入者が購入する形になっている。また、現状の共同購入システムでは、代表者のアカウントで、認証／ログインし、購入物の内容を決定した上で、結果を購入者の各々が承認している。すなわち、現状の共同購入システムでは、ネットワーク上で複数人がリアルタイムに相談しながら共同購入を行うと、更新の競合が派生する可能性があるため、上述したように、「代表者」が購入物品を入力した上で、各共同購入者が購入する形になっている。
【０００３】
共同購入を行うものとして、特許文献１では、お祝い用等の贈呈等に用いる商品或いは商品群を複数の購買者がインターネットを通じて購買し、贈呈することを推進する商品販売及び販売促進の方法を提案している。
【０００４】
また、特許文献２では、売却希望者より募集した売却地の情報を公開し、この売却地の共同購入希望者を募り、受け付けた複数の共同購入希望者間で売却地の区画を調整し、土地区画案に合意した者で購入者団体を設立し、この購入者団体と売却希望者との間で、土地の売買を行う土地共同購入支援方法を提案している。
【０００５】
【特許文献１】特開２００１−３４４４８３号公報
【特許文献２】特開２００２−２５９５３２号公報
【発明の開示】
【発明が解決しようとする課題】
【０００６】
ところが、上述した特許文献１に示されている商品販売及び販売促進の方法では、共同購入物を贈呈し、贈呈者と被贈呈者との間におけるコミュニケーションを支援するものであり、共同購入物品の情報を、複数のユーザが互いにリアルタイムに編集し、決定をすることができないという問題があった。
【０００７】
また、上述した特許文献２に示されている土地共同購入支援方法では、同購入希望者が共同購入希望者側端末にて、区画案を確認し、該区画案への要望・変更や承認等の確認の結果を、電子メール或いはｗｅｂページ上で直接送信し、受信した各共同購入希望者からの結果を受け付けながら調整者端末によって区画案が調整されるものであるため、上記同様に、共同購入物品の情報を、複数のユーザが互いにリアルタイムに編集し、決定をすることができないという問題があった。
【０００８】
なお、リアルタイムな情報の編集等を行う場合、たとえば特開２００３−５２６２７５号公報に示されているように、グループ通信ネットによる方法も考えられるが、リアルタイムに互いの情報を編集するには、情報を格納しているデータベースとの連携機能が必要である。
【０００９】
本発明は、このような状況に鑑みてなされたものであり、上記問題点を解決することができる共同購入システム、共同購入サーバ、共同購入方法、共同購入プログラム及び記録媒体を提供することを目的とする。
【課題を解決するための手段】
【００１０】
本発明の共同購入システムは、ネットワークによる共同購入を行うための共同購入システムであって、共同購入のセッションに参加するユーザが使用するためのユーザ端末と、前記共同購入のセッションに関わる共同購入物品の情報をＷｅｂサイトを介して前記ユーザ端末に提供する共同購入サーバとを備え、前記共同購入サーバは、前記Ｗｅｂサイトを介して購入をすることができる商品情報を格納している販売データベースと、少なくとも、前記ユーザ端末のアクセスに応じて購入する前記商品情報を管理する連携データベースと、前記セッションに参加している前記ユーザ端末毎に生成され、該セッション内において前記ユーザ端末により参照される、少なくともｗｅｂページの内容と前記ユーザ端末を使用するユーザ毎の情報とを保持するユーザ対応手段とを有し、前記ユーザ対応手段は、前記ユーザ端末からのアクセスに応じて前記ｗｅｂページを作成し、該ｗｅｂページの情報の編集又は該ｗｅｂページ内において商品の決定が行われると、該編集があったこと又は前記商品の決定が行われたことを前記連携データベースに通知し、該連携データベースは、前記通知を受け取ると他の前記ユーザ対応手段に対し、編集があったこと又は前記商品の決定が行われたことを通知することを特徴とする。
また、前記ユーザ対応手段は、前記ｗｅｂページに個々のユーザ毎にカスタマイズされているユーザ部位と、前記共同購入のセッションに参加するユーザのグループで共有する共有部位とを表示させ、前記ユーザ部位からの選択操作を受け付けるようにすることができる。
また、前記ユーザ端末と同じセッションに参加し、前記ユーザ端末に対してメディアデータを同期送信するリアルタイムデータ同期装置と、前記連携データベースからの編集があったこと又は前記商品の決定が行われたことの通知を基に、前記リアルタイムデータ同期装置に対して前記メディアデータの同期送信を指示するダミークライアントとを備えるようにすることができる。
また、同一の前記セッションに参加しているユーザを識別するためのグループＩＤを管理するグループ管理装置を備え、前記連携データベースは、前記グループＩＤを基に前記ダミークライアントをセッションに参加させるようにすることができる。
また、前記共同購入によって決定された商品の課金情報が前記ユーザ毎に格納される課金データベースを備えるようにすることができる。
また、少なくとも、前記ユーザ対応手段が前記ネットワーク上に分離配置されているようにすることができる。
また、  前記ユーザ対応手段は、前記ｗｅｂページに個々のユーザ毎の個別部分と前記共同購入のセッションに参加するユーザのグループで共有する共通部とを表示させ、前記個別部からの設定操作が前記共通部へ反映されるようにすることができる。
本発明の共同購入サーバは、共同購入のセッションに関わる共同購入物品の情報をＷｅｂサイトを介してユーザ端末に提供する共同購入サーバであって、前記Ｗｅｂサイトを介して購入をすることができる商品情報を格納している販売データベースと、少なくとも、共同購入のセッションに参加するユーザが使用するユーザ端末のアクセスに応じて購入する前記商品情報を管理する連携データベースと、前記セッションに参加している前記ユーザ端末毎に生成され、該セッション内において前記ユーザ端末により参照される、少なくともｗｅｂページの内容と前記ユーザ端末を使用するユーザ毎の情報とを保持するユーザ対応手段とを有し、前記ユーザ対応手段は、前記ユーザ端末からのアクセスに応じて前記ｗｅｂページを作成し、該ｗｅｂページの情報の編集又は該ｗｅｂページ内において商品の決定が行われると、該編集があったこと又は前記商品の決定が行われたことを前記連携データベースに通知し、該連携データベースは、前記通知を受け取ると他の前記ユーザ対応手段に対し、編集があったこと又は前記商品の決定が行われたことを通知することを特徴とする。
また、前記ユーザ対応手段は、前記ｗｅｂページに個々のユーザ毎にカスタマイズされているユーザ部位と、前記共同購入のセッションに参加するユーザのグループで共有する共有部位とを表示させ、前記ユーザ部位からの選択操作を受け付けるようにすることができる。
本発明の共同購入方法は、ネットワークによる共同購入を行うための共同購入方法であって、共同購入のセッションに参加しているユーザ端末毎に生成され、該セッション内において前記ユーザ端末により参照される、少なくともｗｅｂページの内容と前記ユーザ端末を使用するユーザ毎の情報とを保持するステップと、前記ユーザ端末からのアクセスに応じて前記ｗｅｂページを作成し、該ｗｅｂページの情報の編集又は該ｗｅｂページ内において商品の決定が行われると、該編集があったこと又は前記商品の決定が行われたことを通知するステップとを有し、前記編集があったこと又は前記商品の決定が行われたことが前記ユーザ端末に通知されることを特徴とする。
また、前記ｗｅｂページに個々のユーザ毎にカスタマイズされているユーザ部位と、前記共同購入のセッションに参加するユーザのグループで共有する共有部位とを表示させるステップを有し、前記ユーザ部位からの選択操作が受け付けられるようにすることができる。
また、前記ユーザ端末と同じセッションに参加し、前記ユーザ端末に対してメディアデータを同期送信するステップと、前記編集があったこと又は前記商品の決定が行われたことの通知を基に、ダミークライアントによって前記メディアデータの同期送信を指示するステップとを有するようにすることができる。
また、同一の前記セッションに参加しているユーザを識別するためのグループＩＤを管理するステップと、前記グループＩＤを基に前記ダミークライアントをセッションを参加させるステップとを有するようにすることができる。
また、前記共同購入によって決定された商品の課金情報が前記ユーザ毎に格納されるステップを有するようにすることができる。
また、前記ｗｅｂページに個々のユーザ毎の個別部分と前記共同購入のセッションに参加するユーザのグループで共有する共通部とを表示させるステップを有し、前記個別部からの設定操作が前記共通部へ反映されるようにすることができる。
本発明の共同購入プログラムは、ネットワークによる共同購入を行うための共同購入方法を実行する共同購入プログラムであって、共同購入のセッションに参加しているユーザ端末毎に生成され、該セッション内において前記ユーザ端末により参照される、少なくともｗｅｂページの内容と前記ユーザ端末を使用するユーザ毎の情報とを保持するステップと、前記ユーザ端末からのアクセスに応じて前記ｗｅｂページを作成し、該ｗｅｂページの情報の編集又は該ｗｅｂページ内において商品の決定が行われると、該編集があったこと又は前記商品の決定が行われたことを通知するステップとを有し、前記編集があったこと又は前記商品の決定が行われたことが前記ユーザ端末に通知されることを特徴とする。
また、前記ｗｅｂページに個々のユーザ毎にカスタマイズされているユーザ部位と、前記共同購入のセッションに参加するユーザのグループで共有する共有部位とを表示させるステップを有し、前記ユーザ部位からの選択操作が受け付けられるようにすることができる。
また、前記ユーザ端末と同じセッションに参加し、前記ユーザ端末に対してメディアデータを同期送信するステップと、前記編集があったこと又は前記商品の決定が行われたことの通知を基に、ダミークライアントによって前記メディアデータの同期送信を指示するステップとを有するようにすることができる。
また、同一の前記セッションに参加しているユーザを識別するためのグループＩＤを管理するステップと、前記グループＩＤを基に前記ダミークライアントをセッションを参加させるステップとを有するようにすることができる。
また、前記共同購入によって決定された商品の課金情報が前記ユーザ毎に格納されるステップを有するようにすることができる。
また、前記ｗｅｂページに個々のユーザ毎の個別部分と前記共同購入のセッションに参加するユーザのグループで共有する共通部とを表示させるステップを有し、前記個別部からの設定操作が前記共通部へ反映されるようにすることができる。
本発明の記録媒体は、請求項１６〜２１のいずれかに記載の共同購入プログラムが記録されていることを特徴とする。
本発明では、共同購入のセッションに参加しているユーザ端末毎に表示されるｗｅｂページの情報の編集又は該ｗｅｂページ内において商品の決定が行われると、該編集があったこと又は商品の決定が行われたことがユーザ端末に通知される。
【発明の効果】
【００１１】
本発明によれば、共同購入のセッションに参加しているユーザ端末毎に表示されるｗｅｂページの情報の編集又は該ｗｅｂページ内において商品の決定が行われると、該編集があったこと又は商品の決定が行われたことがユーザ端末に通知されるようにしたので、共同購入物品の情報を、複数のユーザが互いにリアルタイムに編集し、決定をすることができる。
【発明を実施するための最良の形態】
【００１２】
本実施形態では、共同購入において、同じ画面を見ながら音声による通話等を行い、購入する品物の組み合わせや数量を「相互に編集」できる方式を実現するものである。また、承認の状況をその場で相互に確認する方式を実現するものである。また、グループ通話のセッションと同期することで、リアルタイムで相談しながらの共同購入を行う方式を実現するものである。そのために、ＰｏＣ（Ｐｕｓｈ−ｔｏ−Ｔａｌｋ  ｏｖｅｒ  Ｃｅｌｌｕｌａｒ）システムと連携させ、更新情報のリアルタイムな通知、グループ情報の連携、フロア情報の連携等を行うようにしている。
【００１３】
ここで、ＰｏＣは、携帯電話をトランシーバのように利用する技術であり、１対Ｎの通信を可能にするものである。たとえば、米国のＮｅｘｔｅｌ社によりサービスが行われている。ＰｏＣの実現方式はいくつかあるが、基本的な仕組みは同じであり、セッション管理機能やフロア制御機能を備えるＰｏＣサーバと、グループリストを管理するＧＬＭＳ（Ｇｒｏｕｐ  Ｌｉｓｔ  Ｍａｎａｇｅｍｅｎｔ  Ｓｅｒｖｅｒ）とからなる。
【００１４】
またここで、後述の図１に示すように、本実施形態でのリアルタイムデータ同期装置３０はＰｏＣサーバに相当し、グループ管理装置３１はＧＬＭＳに相当する。ただし、本実施形態では、ＰｏＣをマルチメディア化することで、グループによるｗｅｂ閲覧の共有等が可能になった際に、そのグループにおいてマルチメディア通信を行いながら共同購入が行えることを実現するものである。言い換えれば、ＰｏＣで通信中に、全員でｗｅｂの検索画面を共有しながら共通で使う品物を決めるといったようなことである。
【実施例】
【００１５】
以下、本発明の実施例について説明する。図１は、本発明の共同購入システムの一実施例を示すブロック図である。同図に示すように、共同購入システムは、グループ購入サイト１０、注文システム１５、課金ＤＢ（データベース）１６、ユーザ端末２０Ａ〜２０Ｃ、ダミークライアント２１、リアルタイムデータ同期装置３０、グループ管理装置３１を備えている。
【００１６】
グループ購入サイト１０と、ユーザ端末２０Ａ〜２０Ｃ及びダミークライアント２１との間は、ネットワーク４０によって接続されている。ユーザ端末２０Ａ〜２０Ｃ及びダミークライアント２１と、リアルタイムデータ同期装置３０との間は、ネットワーク４１によって接続されている。ネットワーク４０，４１は、データパケットの送受信をリアルタイムで行うものであり、たとえばＩＰプロトコルによって構成される通信回線を用いることができる。
【００１７】
グループ購入サイト１０は、ユーザＡ〜Ｃに対してグループ購入のサービスを提供する装置であり、ｗｅｂページをユーザＡ〜Ｃの要求に応じて生成するグループ購入のためのｗｅｂサーバ（グループ購入サーバ）として実現される。
【００１８】
グループ購入サイト１０は、ユーザ対応機能部１１ａ〜１１ｃ、販売ＤＢ（データベース）１２、ユーザＤＢ（データベース）１３、連携データベース１４を備えている。
【００１９】
ユーザ対応機能部１１ａ〜１１ｃは、セッションに参加しているユーザＡ〜Ｃ毎に生成され、セッション内においてユーザＡ〜Ｃが参照するｗｅｂページの内容や、ユーザＡ〜Ｃ毎の情報等を保持する。また、ユーザ対応機能部１１ａ〜１１ｃは、販売ＤＢ（データベース）１２、ユーザＤＢ（データベース）１３、連携データベース１４に登録されている情報を読み出して、ユーザＡ〜Ｃに提示するｗｅｂページの情報を生成する。
【００２０】
販売ＤＢ（データベース）１２には、本システムにより購入をすることができる商品の情報（写真、説明、名称、スペック等）、値段、在庫等の情報が格納される。ユーザＤＢ（データベース）１３には、ユーザＡ〜ＣのユーザＩＤに対応して、嗜好情報、アカウント情報、認証情報等が格納される。
【００２１】
連携データベース１４には、セッション内における共同購入の制御を行うための情報が格納される。すなわち、セッションＩＤを基にした共同購入データに関連するデータ等が格納される。また、連携データベース１４は、その共同購入データに関連するデータ等が格納されたことをダミークライアント２１に通知することで、ｗｅｂページの情報が変更されたことを各ユーザＡ〜Ｃに通知することが可能となる。
【００２２】
注文システム１５は、共同購入によって決定された商品に基づき、その商品を扱う側への注文を実行するものである。課金ＤＢ（データベース）１６には、各ユーザＡ〜Ｃに対する課金情報が格納される。
【００２３】
ユーザ端末２０Ａ〜２０Ｃは、各ユーザＡ〜Ｃが保有するものであり、ネットワーク４０を介してグループ購入サイト１０にアクセスできる機能を有する端末である。ユーザ端末２０Ａ〜２０Ｃとしては、少なくともｗｅｂページを閲覧できる機能があればよく、パソコン、携帯電話、ＰＤＡ等を用いることができる。
【００２４】
ダミークライアント２１は、ユーザ端末２０Ａ〜２０Ｃと同様にリアルタイムデータ同期装置３０においてセッションに参加し、連携データベース１４の指示によって、参照しているｗｅｂページのデータが更新されたことを、リアルタイムデータ同期装置３０を介して各ユーザＡ〜Ｃのユーザ端末２０Ａ〜２０Ｃに通知する。また、ダミークライアント２１は、セッション内で誰がフロアを持っているかの情報を受信する等の動作を行うことも可能である。
【００２５】
リアルタイムデータ同期装置３０は、複数のユーザＡ〜Ｃを一グループとみなし、リアルタイムにメディアデータのやり取りを行うことができる装置である。メディアデータには、ｗｅｂページのデータ及びｗｅｂページへのポインタ、音声データ、ホワイトボード等が含まれている。また、リアルタイムデータ同期装置３０は、共有して参照しているｗｅｂページが変更されたとき、アクセスを促すための通信の共有にも利用可能である。
【００２６】
具体的には、リアルタイムデータ同期装置３０は、Ｐｕｓｈ  Ｔｏ  Ｔａｌｋ  ｏｖｅｒ  Ｃｅｌｌｕｅｒをマルチメディア拡張し、テキストデータや、その他のメディア情報を各加入者同士で通知し合うことができるようにした装置である。すなわち、ＰＴＴ（ｐｕｓｈ−ｔｏ−ｔａｌｋ）におけるセッション内でのデータ送信は、同一時刻においてフロアと呼ばれる送信権を取得したもののみが送付できるようになっており、その時刻における、データ送出者を特定することが可能とある。
【００２７】
また、フロアを、メディアに応じて複数化したり、フロアを複数化して同時に複数人がユーザＡ〜Ｃに対してデータを送付することが可能になっている。本機能については、標準化団体ＯＭＡのＰｏＣ１ワーキンググループで議論されているものを基本に想定しており、一般によく知られているため、詳細については省略する。
【００２８】
グループ管理装置３１は、リアルタイムデータ同期装置３０において利用される、グループのグループＩＤ等の情報を保存している装置である。すなわち、グループ管理装置３１が保存しているグループＩＤによって、そのセッションに参加しているユーザＡ〜Ｃのリストを得ることが可能となる。
【００２９】
次に、共同購入方法について説明する。なお、以下の説明では、ユーザＡ〜ＣのうちユーザＡ，Ｂがグループ購入サイト１０に対してアクセスを行うものとする。
【００３０】
まず、図２に示すように、各ユーザＡ，Ｂは、グループ購入サイト１０に対してアクセスを行う（ステップＳ１）。その際、各々のユーザＩＤを用いた認証が行われる。また、その際、グループ購入サイト１０に対して、現在、リアルタイムデータ同期装置３０にて生成されているセッションを識別するための識別子である、グループＩＤが通知される。
【００３１】
次いで、グループ購入サイト１０は、グループＩＤを指定して、グループ管理装置３１にアクセスを行い、セッションに参加しているユーザＡ，Ｂ及びセッションに参加可能な他のユーザＣの一覧を取得する（ステップＳ２）。
【００３２】
また、グループ購入サイト１０は、各々のセッションの参加ユーザＡ，Ｂに対して、グループＩＤを指定し、ダミークライアント２１及びリアルタイムデータ同期装置３０を介して、参照すべきｗｅｂページを通知する（ステップＳ３）。すなわち、リアルタイムデータ同期装置３０では、グループＩＤに対応するグループの参加者をグループ管理装置３１から読み出し、各参加メンバに対して通知する。
【００３３】
ここで、ユーザＡ，Ｂがグループ購入サイト１０に対し、通知されたｗｅｂページを指定してアクセスすると、グループ購入サイト１０は各々のユーザＡ，Ｂに対応したユーザ対応機能部１１ａ，１１ｂを生成し、接続させる（ステップＳ４）。また、グループ管理装置３１から読み出した一覧は、ユーザ対応機能部１１ａ，１１ｂに対して送付される。
【００３４】
このとき、ユーザ対応機能部１１ａ，１１ｂは、接続されたユーザＡ，ＢのユーザＩＤに従ってグループに参加しているか、もしくは参加可能なユーザＡ，Ｂかどうかをチェックする。チェックに通らなかった場合には、ＮＧとし、接続を切断する。また、ユーザ対応機能部１１ａ，１１ｂは、ユーザＤＢ１３より各々のユーザＡ，ＢのユーザＩＤを指定してユーザ情報を読み出し記憶する（ステップＳ６）。
【００３５】
また、ユーザ対応機能部１１ａ，１１ｂは、読み出しを行ったユーザ情報及び販売ＤＢ１２より読み出した商品の情報に基づいて、各々のユーザＡ，Ｂに適したページ情報を作成する（ステップＳ７）。販売ＤＢ１２から読み出すデータは、各々のユーザ情報に含まれているユーザＡ，Ｂ毎の嗜好データを反映したものであってもかまわない。その結果、作成されるページ情報には、グループで共有する共有部位と、個々のユーザＡ，Ｂ毎にカスタマイズされている、ユーザ部位の二つの部分から構成される。
【００３６】
また、ユーザ対応機能部１１ａ，１１ｂは、連携データベース１４に対して、ユーザＡ，Ｂが、このグループセッションに参加したことを通知する（ステップＳ８）。ここで、連携データベース１４で管理される情報は、購入する商品データの一覧、共同購入に参加するメンバの一覧、各人の承認状況、商品毎の各人に対する課金あり／なしの指定情報、各々の商品の送り先のユーザＡ，Ｂ（送付先の住所は、ユーザ対応部位に保存する）、状態フラグ（購入選択状態／承認待ち状態／手続き完了状態）である。
【００３７】
次いで、ユーザＡ，Ｂは、ページ情報に含まれている情報を利用して、購入する商品の追加、削除、数量の変更、各人に対する課金あり／なしの指定情報等をユーザ対応機能部１１ａ，１１ｂに対して通知することができる（ステップＳ１０）。また、ｗｅｂページのユーザ部位の変更を行うことも可能である。
【００３８】
ユーザ対応機能部１１ａ，１１ｂは、上記のような情報の編集の通知を受けると、その変更の妥当性をチェックし（ステップＳ１１）、妥当性に問題がない場合には、変更情報を、連携データベース１４へ通知する。
【００３９】
連携データベース１４は情報に更新があった場合、その情報を連携データベース１４内に保存し、セッションに参加している各々のユーザ対応機能部１１ａ，１１ｂに対して通知する（ステップＳ１２）。
【００４０】
このとき、各々のユーザ対応機能部１１ａ，１１ｂは、連携データベース１４から受信した情報を元にｗｅｂページを再作成する。このとき、連携データベース１４は、データの変更があったことを、ダミークライアント２１に通知する（ステップＳ１３）。ダミークライアント２１は、リアルタイムデータ同期装置３０を介し、情報の更新が行われたことを、グループの参加メンバに対して通知する。
【００４１】
グループの参加メンバは、リアルタイムデータ同期装置３０より、情報の更新が行われたことの通知を受ける（ステップＳ１４）。これに応じてユーザ対応機能部１１ａ，１１ｂにアクセスをする（ステップＳ１６）。また、各々のユーザ対応機能部１１ａ，１１ｂは、各々のユーザＡ，Ｂに対応したｗｅｂページを作成し、アクセスをしてきたユーザＡ，Ｂに対して送付する（ステップＳ１７）。
【００４２】
また、同時にリアルタイムデータ同期装置３０によって通信を行い、各々の共有している情報についての会話やマーキング等を行うことができ、その内容に応じて、（ステップＳ１０）以降の動作を、購入すべき情報が全て設定し終わるまで繰り返す（ステップＳ１６）。
【００４３】
購入すべき情報を設定し終わったら、参加しているユーザＡ，Ｂのうちのいずれか一人が、購入の決定をいずれかのユーザ対応機能部１１ａ，１１ｂに対して通知する（ステップＳ１８）。いずれかのユーザ対応機能部１１ａ，１１ｂはその情報を、連携データベース１４に対して通知する（ステップＳ１９）。
【００４４】
このとき、連携データベース１４は、状態フラグを承認待ち状態に変更する。また、各々の承認状態を全て「未」に設定し、ダミークライアント２１にｗｅｂページの更新を通知する。ダミークライアント２１は、リアルタイムデータ同期装置３０を利用して各々のユーザＡ，Ｂにｗｅｂページの更新を通知する。ユーザＡ，Ｂは更新通知を受けてユーザ対応機能部１１ａ，１１ｂにアクセスする。
【００４５】
ユーザ対応機能部１１ａ，１１ｂは、連携データベース１４をチェックし、状態フラグが承認待ち状態で、そのユーザＡ，Ｂに対応する確認の承認状況が未承認の場合には、承認を促す画面を作成し、ユーザＡ，Ｂに返却する（ステップＳ１９）。
【００４６】
次いで、図３に示すように、ユーザＡ，Ｂはｗｅｂページに対して、承認を行うか否かを決定し、ユーザ対応機能部１１ａ，１１ｂに通知する（ステップＳ２０）。ユーザ対応機能部１１ａ，１１ｂは、承認の情報を受けて、連携データベース１４の各人の承認状況を更新する（ステップＳ２１）。承認が行われた場合には、状態を「済」に変更する。また各人の承認情報を各ユーザＡ，Ｂのページ情報に反映させる。この動作を全てのユーザＡ，Ｂについての承認が終了するまで繰り返す（ステップＳ１９〜Ｓ２１）。
【００４７】
連携データベース１４は、全てのユーザＡ，Ｂの承認が終了したら、ダミークライアント２１及びリアルタイムデータ同期装置３０を介して、承認終了を各々のユーザＡ，Ｂに通知する（ステップＳ２２）。また、連携データベース１４は、上記の結果確定した注文の情報を、課金ＤＢ１６及び注文システム１５へと通知し、共同購入を確定させる（ステップＳ２３）。
【００４８】
このように、本実施例では、共同購入のセッションに参加しているユーザ端末２０Ａ〜２０Ｃ毎に表示されるｗｅｂページの情報の編集又は該ｗｅｂページ内において商品の決定が行われると、該編集があったこと又は商品の決定が行われたことがユーザ端末２０Ａ〜２０Ｃに通知されるようにしたので、共同購入物品の情報を、複数のユーザが互いにリアルタイムに編集し、決定をすることができる。
【００４９】
すなわち、本実施例では、連携データベース１４を利用することで、代表者を立てることなく、グループの参加者が、グループのメンバとともにページ情報を共有し、各々が購入物品の追加、変更等を行うことが可能となる
【００５０】
また、本実施例では、各々のユーザが個々に認証、承認する仕組みを実現しているため、特定のメンバが代表して入力を行うといった行為をする必要がなくなる。
【００５１】
また、本実施例では、リアルタイムデータ同期装置３０を利用して、各々のユーザが行った編集情報が、ユーザ間で共有されるようにしたので、共同購入物品の編集を行うにあたって、リアルタイムに互いに相談を行いながら編集を行うことが可能となるばかりか、フロアの情報を共有する際のデータ更新の競合等を防ぐことが可能となる。
【００５２】
また、本実施例では、共同購入のメンバに、現状セッションに参加していない加入者を追加することも可能である。この場合、図２の（ステップＳ１６）において、ユーザからユーザ対応機能部に通知する情報に、追加する加入者のユーザＩＤ（グループ購入サイトにおけるアカウント）を通知するようにする。
【００５３】
このとき、連携データベース１４により、図２の（ステップＳ１７）にて、各々のユーザに対してページの更新が通知される際、新たに加えられたユーザに対しても通知が行われるようにする。その際の通知の方法としては、追加されたユーザをメンバとして新たに作成されたグループに対し、メール等の非リアルタイムの通知方法を利用して行うか、又は新たなダミークライアントを生成し、そのグループにおいて新たなリアルタイムセッションを生成して行うようにすればよい。
【００５４】
また、本実施例では、現状セッションに参加している加入者に加えて、セッションに参加可能な加入者及びセッションに参加不可能であるが共同購入に参加可能な参加者を追加することも可能である。
【００５５】
この場合、図２の（ステップＳ１６）において、ユーザ対応機能部に通知する情報に、追加すべき共同購入者のグループ購入サイト１０におけるアカウントを特定するためのＩＤを通知するようにする。
【００５６】
このとき、連携データベース１４により、図２の（ステップＳ１７）にて、各々のユーザに対してページの更新を通知する際に、新たに加えられたユーザに対しても通知が行われるようにする。その際の通知の方法としては、購入グループに追加されたユーザをメンバとして作成されたグループに対し、メール等の非リアルタイムの通知方法を利用して行うか、又は新たなダミークライアントを生成し、そのグループにおいて新たなリアルタイムセッションを生成して行うようにすればよい。
【００５７】
なお、本実施例では、グループ購入サイト１０内でグループ購入のための仕組みを実現した場合について説明したが、この例に限らず、グループ購入のための仕組みを分離しても実現可能である。
【００５８】
すなわち、図４に示すように、グループ購入サイト１０からページが更新されたことをダミークライアント２１に通知したりする機能部を分離する。ここで、その機能部をグループ購入サーバ１７とし、そのグループ購入サーバ１７をグループ購入サイト１０とユーザ端末２０Ａ〜２０Ｃ、ダミークライアント２１及びグループ管理装置３１との間に介在させる。また、グループ購入サーバ１７には、グループ管理装置３１からグループＩＤを指定して読み出されたセッションの参加者等の情報が保存されるグループ購入状態メモリ１８を接続する。
【００５９】
このように構成することで、グループの中のたとえばユーザＡが、グループ購入サーバ１７に対して購入開始のアクセスを行う（その際に、グループを特定するグループＩＤを通知する）と、グループ購入サーバ１７がグループのアカウントをグループ購入サイト１０にて生成し、購入グループＩＤを得る。
【００６０】
また、グループ購入サーバ１７は、ダミークライアント２１をセッションへと参加させる。また、グループ購入サーバ１７はグループ管理装置３１から、グループＩＤを指定してセッションの参加者を読み出し、グループ購入状態メモリ１８に保存する。このとき、ダミークライアント２１は他のユーザＢ，Ｃに対して、上記の購入グループＩＤの情報をリアルタイムデータ同期装置３０を利用して通知する。
【００６１】
他の共同購入を行うユーザＢ，Ｃは、受信した情報を元に、購入グループＩＤを指定して、グループ購入サーバ１７にアクセスを行う。この際、参加している全てのユーザＡ〜Ｃは、グループ購入サーバ１７との間に認証関係を確立し、また認証サーバ運用者よりの課金徴収が可能な関係をあらかじめ成立させておく。
【００６２】
また、グループ購入サーバ１７は、たとえばユーザＢのアクセスに対して、指定された購入グループＩＤを元に、ユーザＡが見ているページをユーザＢに対して返却する。参加ユーザＡ〜Ｃのいずれかが、共同購入ページのリンクをクリックする等して操作し、グループ購入サーバ１７に対して、購入情報の操作を行うと、その情報をグループのアカウントの操作として、グループ購入サイト１０に対しアクセスする。このとき、グループ購入サイト１０から、アクセスの結果として得られたｗｅｂページが、アクセスしたいずれかのユーザＡ〜Ｃに対して返却される。
【００６３】
グループ購入サーバ１７はｗｅｂページが更新されたことを、ダミークライアント２１に通知する。ダミークライアントは２１、リアルタイムデータ同期装置３０を利用して、各参加ユーザＡ〜Ｃへと通知する。各参加ユーザＡ〜Ｃは、この通知を受けたら、グループ購入サーバ１７へとアクセスをし、更新された情報を取得する。そし、購入する商品を上記動作を繰り返して全て選択する。
【００６４】
購入を決定する際には、参加ユーザＡ〜Ｃのうちの一人が、購入決定の入力を行い、グループ購入サーバ１７に対して通知する。グループ購入サーバ１７は、購入決定の入力を検出し、その場合にはグループ購入サイト１０へとアクセスせずに、他の参加ユーザＡ〜Ｃに対して、確認用のページを送付生成し、ダミークライアント２１に通知する。ダミークライアント２１は、リアルタイムデータ同期装置３０を介し、参加している各ユーザＡ〜Ｃに対して通知する。グループ購入サーバ１７はグループ購入状態メモリ１８の状態を、承認中とする。各ユーザＡ〜Ｃは通知を受け、確認用のページに対してアクセスを行う。
【００６５】
ユーザＡ〜Ｃは確認用のページを参照して、共同購入を承認するか否かを入力する。グループ購入サーバ１７は、承認の結果を、グループ購入状態メモリ１８に書き込む。また、グループ購入サーバ１７は、グループ購入状態メモリ１８を確認し、全てのユーザＡ〜Ｃからの承認を得られた時点で、購入決定の情報でグループ購入サイト１０に対しアクセスを行い、注文を確定させる。なお、グループ購入サーバ１７は、注文を確定せずに保留をし、後述の課金ＤＢ１６に必要な課金が記録されてから注文を確定させるようにしてもよい。これにより、料金徴収のリスクを回避することが可能となる。
【００６６】
また、グループ購入サーバ１７は、確定した購入情報と、グループの参加者との関連付けを行い、必要な課金を、適切な方法で各グループ参加者に対して分配し、課金ＤＢ１６に記録する。購入サーバ運用者は、上記の課金ＤＢ１６に従って、各ユーザＡ〜Ｃに対して課金を行う。
【００６７】
また、グループ購入サーバ１７は、グループのアカウントによる支払いを代行して行う。結果として、共同購入機能を提供する事業者と、グループ購入サイト１０を運営する事業者とを別々に運用することが可能となる。
【００６８】
また、本実施例では、上述した図２の（ステップＳ１０）において、ユーザＡ〜Ｃの指定操作の競合を防ぐ仕組みを実現することも可能である。すなわち、図５に示すように、ユーザＡ〜Ｃの操作画面２２を、共通部２２ａ、個別部２２ｂに分割し、各ユーザＡ〜Ｃの選択、データの参照、商品の選択設定等を、個別部２２ｂのデータに対する操作として実施されるようにする。これにより、いずれかのユーザＡ〜Ｃがリアルタイムデータ同期装置３０に対して情報共有のための操作を行ったときに、共通情報への反映が行われる。
【００６９】
この場合のシーケンスを図６により説明する。すなわち、ユーザＡが個別部２２ｂの購入情報リストを編集し、そのページに付属している決定ボタンを押した場合、ユーザＡからユーザ対応機能部１１ａに、その編集内容である、たとえば追加購入したいと考えている商品のリストが通知される（ステップＳ３０）。
【００７０】
ユーザ対応機能部１１ａは、そのリストの情報を一度保持するが、共通の情報としては反映させない。また、ユーザＡに対するページ情報として、個別部２２ｂのみが編集されたものを送付する。
【００７１】
次いで、ユーザＡが図示しないフロアの取得ボタンを押すと、データの同期のための信号がリアルタイムデータ同期装置３０に対して通知される（ステップＳ３１）。他のユーザＢ，Ｃが使用していない場合には、フロア権が取得され、使用している場合には却下される。フロア権が取得された場合、その情報が、ダミークライアント２１を通じて連携データベース１４へと通知される。
【００７２】
連携データベース１４は、フロア取得の情報を受けて、フロア権を取得したユーザＡに対応するユーザ対応機能部１１ａに対してアクセスし、そこに保存されている、更新リストを読み出し、共通の購入リストを更新する（ステップＳ３２）。
【００７３】
フロア取得通知を受けた、ユーザＡ以外のユーザＢ，Ｃは、各々のユーザ対応機能部１１ｂ，１１ｃにアクセスする（ステップＳ３３）。各々のユーザ対応機能部１１ｂ，１１ｃは、更新された共通の購入情報と個別に編集をしている購入情報との差分を取り、もし一致しているものがあった場合にはユーザＢ，Ｃの画面の個別部２２ｂに、すでにそのデータが登録されていることを意味する記号等を付与し、注意を促す。
【００７４】
このようにすることで、各ユーザＡ〜Ｃが個別に編集・参照・選択している情報が、他のユーザＡ〜Ｃのフロア取得及び共通データの変更によって、上書きや変更、さらには廃棄されることなく、継続して利用可能となる。
【産業上の利用可能性】
【００７５】
複数のユーザ間でリアルタイムで情報を共有するシステムに適用可能である。
に適用可能である。
【図面の簡単な説明】
【００７６】
【図１】本発明の共同購入システムの一実施例を示すブロック図である。
【図２】図１の共同購入システムにおける共同購入方法を説明するためのシーケンス図である。
【図３】図１の共同購入システムにおける共同購入方法を説明するためのシーケンス図である。
【図４】図１の共同購入システムの構成を変えた場合の他の共同購入システムを示すブロック図である。
【図５】図１のユーザ端末における操作画面の一例を示す図である。
【図６】図１の共同購入システムにおける他の共同購入方法を説明するためのシーケンス図である。
【符号の説明】
【００７７】
１０  グループ購入サイト
１１ａ〜１１ｃ  ユーザ対応機能部（ユーザ対応手段）
１４  連携データベース
１５  注文システム
１６  課金ＤＢ
１７  グループ購入サーバ
１８  グループ購入状態メモリ
２０Ａ〜２０Ｃ  ユーザ端末
２１  ダミークライアント
３０  リアルタイムデータ同期装置
３１  グループ管理装置
４０，４１  ネットワーク
【図１】
2007249557.tif 000003
【図２】
2007249557.tif 000004
【図３】
2007249557.tif 000005
【図４】
2007249557.tif 000006
【図５】
2007249557.tif 000007
【図６】
2007249557.tif 000008